【手続補正書】
【提出日】平成21年7月10日(2009.7.10)
【手続補正１】
【補正対象書類名】特許請求の範囲
【補正対象項目名】全文
【補正方法】変更
【補正の内容】
【特許請求の範囲】
【請求項１】
第１領域及び第２領域の少なくとも一方並びに第３領域を有する入力画像を圧縮する画像エンコーダであって、該画像エンコーダが、
−  前記第１領域の第１テクスチャパラメータ及び前記第２領域の第２テクスチャパラメータの少なくとも一方から所定の推定アルゴリズムに従って第３テクスチャパラメータを推定するように構成された推定器と、
−  前記推定された第３テクスチャパラメータに対応する発生されたテクスチャの表現と、前記入力画像の前記第３領域に存在するテクスチャの表現とを所定の整合規準に従って比較すると共に、整合度の値を計算するように構成された比較器と、
−  前記第１テクスチャパラメータ及び前記第２テクスチャパラメータの少なくとも一方を圧縮されたデータストリームに符号化するように構成されると共に、前記整合度の値が所定の区間内に入る場合に前記入力画像の前記第３領域に存在する前記テクスチャを前記推定アルゴリズムの符号化情報により前記圧縮されたデータストリームに符号化するように構成されたデータエンコーダと、
を有するような画像エンコーダ。
【請求項２】
請求項１に記載の画像エンコーダにおいて、前記推定器が、前記所定の推定アルゴリズムとして、前記第１テクスチャパラメータ及び前記第２テクスチャパラメータの加重組み合わせを適用するように構成された画像エンコーダ。
【請求項３】
請求項２に記載の画像エンコーダにおいて、前記推定器が、更に、前記加重組み合わせのための重みを前記整合度の値を最小化することにより適応的に選択するように構成された画像エンコーダ。
【請求項４】
請求項１に記載の画像エンコーダにおいて、前記比較器が前記所定の整合規準として心理／視覚的整合関数を適用するように構成され、該心理／視覚的整合関数が、前記発生されたテクスチャの表現及び前記存在するテクスチャの表現を入力として取り込み、これら両表現が前記画像内の複数のピクセルにわたり定義されたものとすると共に、出力として前記整合度の値を発生するような画像エンコーダ。
【請求項５】
請求項１に記載の画像エンコーダにおいて、前記比較器が前記所定の整合規準として統計的整合関数を適用するように構成され、該統計的整合関数が、前記発生されたテクスチャの表現の統計的特性及び前記存在するテクスチャの表現の統計的特性を入力として取り込むと共に、出力として前記整合度の値を発生するような画像エンコーダ。
【請求項６】
請求項１に記載の画像エンコーダにおいて、前記比較器が前記所定の整合規準として距離的尺度関数を適用するように構成され、該距離的尺度関数が、前記第３テクスチャパラメータ及び前記入力画像の前記第３領域に存在するテクスチャのテクスチャパラメータを入力として取り込むと共に、出力として前記整合度の値を発生するような画像エンコーダ。
【請求項７】
請求項１に記載の画像エンコーダにおいて、該エンコーダが画像の時間的シーケンスを有するビデオ情報を符号化するように構成されている画像エンコーダ。
【請求項８】
請求項１に記載の画像エンコーダにおいて、該画像エンコーダは前記第１領域を有する第１画像、前記第２領域を有する第２画像及び前記第３領域を有する第３画像を圧縮するように構成され、前記第１画像及び前記第２画像が前記第３画像に対して時間的に隣接しているような画像エンコーダ。
【請求項９】
第１領域及び第２領域の少なくとも一方並びに第３領域を有する入力画像を符号化する方法であって、該符号化する方法が、
−  前記第１領域の第１テクスチャパラメータ及び前記第２領域の第２テクスチャパラメータの少なくとも一方から所定の推定アルゴリズムに従って第３テクスチャパラメータを推定するステップと、
−  前記推定された第３テクスチャパラメータに対応する発生されたテクスチャの表現を、前記入力画像の前記第３領域に存在するテクスチャの表現と所定の整合規準に従って比較すると共に、整合度の値を計算するステップと、
−  前記第１テクスチャパラメータ及び前記第２テクスチャパラメータの少なくとも一方を圧縮されたデータストリームに符号化すると共に、前記整合度の値が所定の区間内に入る場合に前記入力画像の前記第３領域に存在する前記テクスチャを前記推定アルゴリズムの符号化情報により前記圧縮されたデータストリームに符号化するステップと、
を有するような符号化する方法。
【請求項１０】
推定アルゴリズムの符号化情報を有する圧縮されたデータストリームを、第１領域、第２領域及び第３領域の少なくとも１つを有する画像に復号する画像デコーダであって、該画像デコーダが、
−  前記第１領域の第１テクスチャパラメータ及び前記第２領域の第２テクスチャパラメータの少なくとも一方を前記圧縮されたデータストリームから復号するように構成されたデータデコーダと、
−  前記推定アルゴリズムの符号化情報を前記圧縮されたデータストリームから検出する検出器と、
−  前記第３領域の第３テクスチャパラメータを、前記第１テクスチャパラメータ及び前記第２テクスチャパラメータの少なくとも一方から前記推定アルゴリズムにより示される所定の推定アルゴリズムに従って推定する推定器と、
を有するような画像デコーダ。
【請求項１１】
推定アルゴリズムの符号化情報を有する圧縮されたデータストリームを、第１領域、第２領域及び第３領域の少なくとも１つを有する画像に復号する方法であって、該方法が、
−  第１テクスチャ領域の第１テクスチャパラメータ及び第２テクスチャ領域の第２テクスチャパラメータを前記圧縮されたデータストリームから復号するステップと、
−  前記推定アルゴリズムの符号化情報を前記圧縮されたデータストリームから検出するステップと、
−  第３テクスチャパラメータを、前記第１領域の第１テクスチャパラメータ及び前記第２領域の第２テクスチャパラメータの少なくとも一方から前記推定アルゴリズムにより示される所定の推定アルゴリズムに従って推定するステップと、
を有するような方法。
【請求項１２】
テクスチャの領域を有する少なくとも１つの画像を圧縮されたデータストリームに圧縮する画像エンコーダであって、該画像エンコーダが、
−  少なくとも１つのオブジェクトを有する前記少なくとも１つの画像を、所定の画像圧縮規格に準拠した圧縮されたデータストリームの第１部分に符号化するように構成された前記エンコーダの第１部分と、
−  前記テクスチャの部分を、請求項１又は請求項８に従って第２の圧縮されたデータストリームに符号化するように構成された前記エンコーダの第２部分と、
を有し、前記第１及び第２の圧縮されたデータストリームが、前記所定の画像圧縮規格に準拠した組み合わされたデータストリームを表すようにインターリーブされる画像エンコーダ。
【請求項１３】
テクスチャの領域を有する少なくとも１つの入力画像を符号化することにより得られる圧縮されたデータストリームを伝送する伝送装置であって、該伝送装置が、
−  テクスチャの領域のテクスチャを二次元自己回帰モデルのような所定のモデルによりモデル化し、該モデルのテクスチャパラメータを推定し、該モデルの情報を圧縮されたデータストリームに符号化するように構成されたテクスチャモデル化ユニットと、
−  請求項１又は請求項１２に記載された画像エンコーダであって、前記テクスチャパラメータ及び前記画像内に存在する少なくとも１つのテクスチャの表現を入力するように構成されると共に、前記テクスチャパラメータ及び推定アルゴリズムの符号化情報を前記圧縮されたデータストリームに更に符号化するように構成された画像エンコーダと、
−  前記圧縮されたデータストリームをデータ伝送主体又は記憶主体に伝送するように構成された伝送ユニットと、
を有するような伝送装置。
【請求項１４】
携帯装置であって、
−  少なくとも１つの画像を捕捉するように構成されたカメラと、
−  請求項１３に記載の伝送装置であって、前記少なくとも１つの画像の符号化されたバージョンをデータ伝送主体又は記憶主体に伝送するように構成された伝送装置と、
を有するような携帯装置。
【請求項１５】
圧縮されたデータストリームを少なくとも１つの画像に復号する画像デコーダであって、該画像デコーダが、
−  所定の画像圧縮規格に準拠した前記圧縮されたデータストリームの第１部分を、少なくとも１つの画像オブジェクトに復号するように構成された前記デコーダの第１部分と、
−  推定アルゴリズムの符号化情報及びテクスチャの領域のパラメータを有する前記圧縮されたデータストリームの第２部分を、請求項１０に記載したように復号するよう構成された前記デコーダの第２部分と、
を有し、前記デコーダの第２部分が、更に、前記テクスチャの領域を前記テクスチャ領域のパラメータから合成すると共に、該テクスチャの領域を前記画像オブジェクトに加算して出力画像を発生させるように構成されている画像デコーダ。
【請求項１６】
少なくとも１つの画像の符号化バージョンを有する圧縮されたデータストリームを画像伝送設備又は記憶設備から受信する受信機であって、該受信機が、
−  前記圧縮されたデータストリームを、請求項１５に記載したように少なくとも１つの出力画像に復号するよう構成されたデコーダと、
−  前記出力画像を、組み込まれた又は接続可能な表示器に接続するよう構成された出力手段と、
を有する受信機。
【請求項１７】
画像内に含まれる他のテクスチャ領域を再生するために使用可能な、前記画像内に含まれる第１テクスチャ領域を符号化するパラメトリックデータに基づいて他のテクスチャパラメータを発生するためのモデルを識別する符号化情報を有するような圧縮された符号化画像信号を伝送する方法であって、該方法が、
−  前記画像に存在する画像オブジェクトを、該画像オブジェクト内に含まれるピクセルの群のピクセル値の線形変換に基づいて所定の画像圧縮規格に従う圧縮された符号化画像信号に符号化するステップと、
−  前記画像内に含まれる前記第１テクスチャ領域をパラメトリックデータにより符号化するステップと、
−  前記画像の前記他のテクスチャを再生するために利用可能な、前記パラメトリックデータに基づいて他のテクスチャパラメータを発生するための前記モデルの符号化情報を符号化するステップと、
−  前記符号化された圧縮されたデータストリームをデータ伝送の有線又は無線の媒体を介して伝送するステップと、
を有するような方法。
【請求項１８】
コンピュータ装置によりロードされるべきコンピュータプログラムであって、テクスチャの領域を有する画像を圧縮されたデータストリームに圧縮する命令を有し、前記コンピュータ装置は処理ユニットとメモリとを有し、該コンピュータプログラムは、ロードされた後に、前記処理ユニットに、
−  第１領域の第１テクスチャパラメータ及び第２領域の第２テクスチャパラメータの少なくとも一方から所定の推定アルゴリズムに従って第３テクスチャパラメータを推定し、
−  前記推定された第３テクスチャパラメータに対応する発生されたテクスチャの表現を、第３領域に存在するテクスチャの表現と所定の整合規準に従って比較すると共に、整合度の値を計算し、且つ、
−  前記第１テクスチャパラメータ及び前記第２テクスチャパラメータを圧縮されたデータストリームに符号化すると共に、前記整合度の値が所定の区間内に入る場合に前記第３領域に存在する前記テクスチャを前記推定アルゴリズムの符号化情報により前記圧縮されたデータストリームに符号化する、
各タスクを実行する能力を付与するようなコンピュータプログラム。
【請求項１９】
請求項１に記載のエンコーダにおいて、テクスチャの領域を得るために前記画像が手動で区分されるようなエンコーダ。
【請求項２０】
請求項１に記載のエンコーダにおいて、テクスチャの領域及びパラメータを得るために前記画像が画像区分化アルゴリズムにより予め区分されるようなエンコーダ。
【請求項２１】
請求項７に記載の画像エンコーダにおいて、前記推定器は現在の画像の時点に対する差分テクスチャを該現在の入力画像の第３領域に存在するテクスチャに基づいて符号化するように構成され、前記現在の画像の第３領域に対して動き補償されたテクスチャが、少なくとも１つの前の画像における同等のテクスチャ領域、好ましくは現在の画像の第３領域に対応する逆時間的に動き補償された領域、に存在するテクスチャから発生され、前記データエンコーダが前記差分テクスチャを符号化するように構成される画像エンコーダ。